(57)【要約】  本発明はタッチスクリーンの誤操作防止方法、タッチスクリーン、移動端末、プログラム及び記録媒体を開示しており、当該方法はタッチスクリーン上の表示領域にタッチポイントが存在することが検出された場合、当該タッチポイントが、予め設定された無効タッチエリアに位置しているか否かを特定するステップと、当該タッチポイントが前記無効タッチエリアに位置していることが特定された場合、当該タッチポイントに応答しないステップとを含む。本発明は、タッチポイントが無効タッチエリアに位置していることが特定された場合、当該タッチポイントに応答しないという方法で、ユーザが当該無効タッチエリアに触れた場合、誤って対応する機能をトリガーするという問題を避けることができ、タッチスクリーンのタッチ効果の精度と有効性を高めた。【選択図】図２
2015519671.tif 000002
【特許請求の範囲】
【請求項１】
タッチスクリーン上の表示領域にタッチポイントが存在することが検出された場合、当該タッチポイントが、予め設定された無効タッチエリアに位置しているか否かを特定するステップと、
当該タッチポイントが前記無効タッチエリアに位置していることが特定された場合、当該タッチポイントに応答しないステップとを含むことを特徴とするタッチスクリーンの誤操作防止方法。
【請求項２】
前記無効タッチエリアをタッチスクリーン上の表示領域内に予め設定することを特徴とする請求項１に記載のタッチスクリーンの誤操作防止方法。
【請求項３】
前記無効タッチエリアをタッチスクリーン上の表示領域内に予め設定するステップは、
タッチスクリーンにおける所定画像が表示された領域に対し、無効タッチエリアを予め設定するステップを含むことを特徴とする請求項２に記載のタッチスクリーンの誤操作防止方法。
【請求項４】
タッチスクリーンにおける所定画像が表示された領域に対し、無効タッチエリアを予め設定するステップは、
タッチスクリーンにおける所定画像が表示された領域に対し、前記タッチスクリーンの周縁から設定幅である領域を無効タッチエリアとして予め設定するステップを含むことを特徴とする請求項３に記載のタッチスクリーンの誤操作防止方法。
【請求項５】
タッチスクリーンにおける所定画像が表示された領域に対し、無効タッチエリアを予め設定するステップは、
タッチスクリーンにおける所定画像が表示された領域に対し、設定された位置において設定の長さと幅を有する領域を無効タッチエリアとして予め設定するステップを含むことを特徴とする請求項３に記載のタッチスクリーンの誤操作防止方法。
【請求項６】
タッチポイントが、予め設定された無効タッチエリアに位置しているか否かを特定するステップは、
タッチスクリーンに前記所定画像が表示される場合、タッチスクリーンにおける前記所定画像が表示された領域に対し、予め設定された無効タッチエリアにタッチポイントが位置しているか否かを特定するステップを含むことを特徴とする請求項３乃至請求項５のいずれかに記載のタッチスクリーンの誤操作防止方法。
【請求項７】
タッチポイントが前記無効タッチエリアに位置していることが特定された場合、当該タッチポイントに応答しないステップは、
タッチスクリーンに前記所定画像が表示される場合、タッチポイントが、タッチスクリーンにおける前記所定画像が表示された領域に対し予め設定した無効タッチエリアに位置していることが特定された場合、当該無効タッチエリアに対応する機能をトリガーしないように制御するステップを含むことを特徴とする請求項６に記載のタッチスクリーンの誤操作防止方法。
【請求項８】
タッチスクリーン上の表示領域にタッチポイントが存在することが検出された場合、当該タッチポイントが、予め設定された無効タッチエリアに位置しているか否かを特定する無効特定モジュールと、
前記タッチポイントが前記無効タッチエリアに位置している場合、当該タッチポイントに応答しないように制御する無効処理モジュールとを備えることを特徴とするタッチスクリーン。
【請求項９】
更に、タッチスクリーン上の表示領域内に無効タッチエリアを予め設定する無効設定モジュールを備えることを特徴とする請求項８に記載のタッチスクリーン。
【請求項１０】
前記無効設定モジュールは、タッチスクリーンにおける所定画像が表示される領域に対し、無効タッチエリアを予め設定することを特徴とする請求項９に記載のタッチスクリーン。
【請求項１１】
前記無効設定モジュールは更に、タッチスクリーンにおける所定画像が表示される領域に対し、前記タッチスクリーンの周縁から設定幅である領域を、無効タッチエリアとして予め設定することを特徴とする請求項１０に記載のタッチスクリーン。
【請求項１２】
前記無効設定モジュールは更に、タッチスクリーンにおける所定画像が表示される領域に対し、設定された位置における設定の長さと幅を有する領域を無効タッチエリアとして予め設定することを特徴とする請求項１０に記載のタッチスクリーン。
【請求項１３】
前記無効特定モジュールは、タッチスクリーンに前記所定画像が表示される場合、タッチスクリーンにおける前記所定画像が表示される領域に対し予め設定した無効タッチエリアにタッチポイントが位置しているか否かを特定することを特徴とする請求項１０乃至請求項１２のいずれかに記載のタッチスクリーン。
【請求項１４】
前記無効処理モジュールは、タッチスクリーンに前記所定画像が表示される場合、タッチスクリーンにおける前記所定画像が表示される領域に対し予め設定した無効タッチエリアにタッチポイントが位置していることが特定された場合、当該無効タッチエリアに対応する機能をトリガーしないように制御することを特徴とする請求項１３に記載のタッチスクリーン。
【請求項１５】
請求項８乃至請求項１４のいずれかに記載のタッチスクリーンを備えることを特徴とする移動端末。
【発明の詳細な説明】
【技術分野】
【０００１】
本発明はタッチスクリーンの技術分野に関わり、特に誤操作防止方法、タッチスクリーン及び移動端末に関わる。
【背景技術】
【０００２】
科学技術の発展に伴い、携帯電話の集積化のレベルはますます高くなっており、同時に携帯電話はタッチスクリーンがますます大きくなり、ベゼル部分がますます薄くなるという発展傾向がある。しかしながら、携帯電話のベゼル部分が比較的に薄い場合、ユーザが携帯電話を握り締める際に携帯電話の周縁部分に触れやすく、誤操作を招いてしまう。
【０００３】
例えば、図１は携帯電話の通話記録画面を示しているが、当該画面のそれぞれのリスト項目は全てタッチスクリーンの当該リスト項目を表すための領域と対応し、通常の場合、ユーザがあるリスト項目に対応する表示領域をタッチした場合、対応する電話をかける機能がトリガーされる。つまり、当該リスト項目の表示領域にタッチすることによって、対応する機能をトリガーさせることができる。しかしながら、リスト項目の表示領域はタッチスクリーンの周縁にまで広がっていることが往々にしてあるため、ユーザが電話をかけるつもりがないまま携帯電話のベゼル部分を手で持っている場合、ベゼル部分が薄いゆえに、タッチスクリーンの周縁領域に誤接触しやすく、対応する電話を誤ってかけてしまう。同様に、メッセージ画面、アプリケーションプログラム画面等にも類似する問題が存在する。
【０００４】
従来技術では、携帯電話のスクリーンをロックする方法をよく採用して上記の誤操作状況の発生を防いでいるが、これはユーザがタイムリーにロックを行うことが必要となり、また、ユーザが再び携帯電話の画面操作を行う際にはロックを解除しなければならず、ユーザの操作の複雑さが増し、更に、ユーザがロックすることを忘れてしまうと、上記の誤操作の問題は依然として存在する。
【発明の概要】
【０００５】
本発明は、タッチスクリーンのタッチ応答の正確性と有効性を高め、スクリーンに誤って触れることで対応する機能を誤って実行する問題を避けるために、タッチスクリーンの誤操作防止方法、タッチスクリーン及び移動端末を提供する。
【０００６】
タッチスクリーンの誤操作防止方法は、
タッチスクリーン上の表示領域にタッチポイントが存在することが検出された場合、当該タッチポイントが、予め設定された無効タッチエリアに位置しているか否かを特定するステップと、
当該タッチポイントが前記無効タッチエリアに位置していることが特定された場合、当該タッチポイントに応答しないステップとを含む。
【０００７】
また、タッチスクリーンは、
タッチスクリーン上の表示領域にタッチポイントが存在することが検出された場合、当該タッチポイントが、予め設定された無効タッチエリアに位置しているか否かを特定する無効特定モジュールと、
前記タッチポイントが前記無効タッチエリアに位置している場合、当該タッチポイントに応答しないように制御する無効処理モジュールとを備える。
【０００８】
また、移動端末は上記のようなタッチスクリーンを備えている。
【０００９】
本発明はタッチスクリーンの誤操作防止方法、タッチスクリーン及び移動端末を提供し、タッチポイントが、無効タッチエリアに位置していることが特定された場合、当該タッチポイントに応答しないという方法で、ユーザが当該無効タッチエリアに触れた場合、対応する機能を誤ってトリガーするという問題を避けることができ、タッチスクリーンのタッチ効果の精度と有効性を高めた。
【図面の簡単な説明】
【００１０】
本発明の実施例における技術方案を更に明確に説明するために、以下では本発明の実施例の説明に必要な図面について簡単に紹介する。下記の説明における図面は本発明の実施例の例示に過ぎず、当業者は創造的な労働を経ずに、これらの図面に基づいて更にその他の図面を得ることは自明なことである。
【００１１】
図１は従来技術において一般的に使われる携帯電話の通話記録画面である。
【００１２】
図２は本発明の実施例１が提供するタッチスクリーン誤操作防止方法のフロー模式図である。
【００１３】
図３は本発明の実施例２が提供するタッチスクリーンの構造模式図である。
【００１４】
図４は本発明の実施例３が提供する移動端末の模式図である。
【００１５】
図５は本発明の実施例４における、通話記録画面に対し設定した無効タッチエリアの模式図である。
【発明を実施するための形態】
【００１６】
下記では図面と具体的な実施例を組み合わせて、本発明が提供するタッチスクリーン誤操作防止方法、タッチスクリーン及び移動端末の具体的な実施方法について更に詳しく説明する。
【００１７】
実施例１
本実施例はタッチスクリーンの誤操作防止方法を提供しており、図２に示すように以下のようなステップを含む。
【００１８】
ステップ２１において、タッチスクリーン上の表示領域にタッチポイントが存在することが検出された場合、前記タッチポイントが、予め設定された無効タッチエリアに位置しているか否かを特定する。
【００１９】
具体的には、タッチスクリーンは、表示画像を有しタッチ信号を受信することで対応する機能をトリガーするスクリーンであり、本ステップはタッチスクリーン上にタッチポイントが存在することが検出された場合、更に前記タッチポイントが無効タッチエリアに位置しているか否かを検出する。当該無効タッチエリアはタッチスクリーンを誤操作する場合によく触れてしまうエリアである。
【００２０】
ステップ２２において、当該タッチポイントが前記無効タッチエリアに位置していることが特定される場合、当該タッチポイントに応答しない。
【００２１】
具体的には、本ステップにおいて前記無効タッチエリアがタッチ操作に応答しないように設定する。即ち、タッチポイントが無効タッチエリアに位置していることが特定された場合、当該タッチが誤操作によるタッチであると判断し、当該無効タッチエリアに対応する機能をトリガーしない。
【００２２】
本実施例で提供するタッチスクリーンの誤操作防止方法は、タッチポイントが無効タッチエリアに位置していることが特定された場合、当該タッチポイントに応答しないという方法で、ユーザが当該無効タッチエリアに触れた場合、対応する機能を誤ってトリガーする問題を避けることができ、タッチスクリーンのタッチ効果の精度と有効性を高めた。
【００２３】
前記無効タッチエリアはタッチスクリーン上の表示領域内に予め設定されることが望ましい。
【００２４】
具体的には、ユーザは実際のニーズに基づいて、タッチスクリーンを正常に操作する場合によく触れる領域及びタッチスクリーンを誤って操作する場合によく触れる領域を予め特定し、タッチスクリーンを正常に操作する場合によく触れる領域を有効タッチエリアとして設定し、タッチスクリーンを誤って操作する場合によく触れる領域を無効タッチエリアとして設定する。
【００２５】
より具体的には、前記無効タッチエリアをタッチ操作に応答しないように、有効タッチエリアをタッチ操作に応答するように設定する。つまり、タッチポイントが無効タッチエリアに位置していることが特定された場合、当該タッチが誤操作によるタッチであると判断し、当該無効タッチエリアに対応する機能をトリガーせず、逆に、タッチポイントが有効タッチエリアに位置していることが特定された場合、当該タッチを正常な操作によるタッチであると判断し、当該有効タッチエリアに対応する機能をトリガーする。
【００２６】
また、本発明方法において、前記無効タッチエリアは、ユーザが実際のニーズに基づいて予め設定されたものでもよく、システムにより予めデフォルトに設定された、タッチスクリーンにおける所定領域であってもよい。即ち、システムは、予めデフォルトオプションとして所定の無効タッチエリアを設定し、ユーザはシステムがデフォルトとする無効タッチエリアを選択して使用するか、または実際のニーズに基づいて無効タッチエリアを設定することができる。
【００２７】
システムがデフォルトとする無効タッチエリアを採用しても、ユーザが実際のニーズに基づいて予め設定された無効タッチエリアを採用しても、どちらもユーザが当該無効タッチエリアに触れた場合、対応する機能が誤ってトリガーされる問題を避けることができ、タッチスクリーンのタッチ効果の精度と有効性を高めた。従来技術における、スクリーンをロックする方法に比べて、本発明の方法は操作が簡単で、一回の設定で誤操作を防止する機能を実現することができ、ユーザが便利に速く操作できるようにし、ユーザの体験度を高めた。
【００２８】
上記の方法において、前記無効タッチエリアをタッチスクリーン上の表示領域内に予め設定することは、具体的には、タッチスクリーン上の所定画像が表示される領域に対し、無効タッチエリアを予め設定することを含むことが望ましい。
【００２９】
具体的には、タッチスクリーンに表示される画像は対応する機能の変化に伴って変化し、あるグラフィカルインターフェース（Ｇｒａｐｈｉｃｓ  Ｉｎｔｅｒｆａｃｅ）に対し正常に操作する際によく触れる領域は、他のグラフィカルインターフェースに対し誤って操作した際に触れる領域である可能性がある。従って、本発明の実施例は実際のニーズに基づいて、所定のグラフィカルインターフェースに対し、対応する無効タッチエリアを設定することができる。即ち、タッチスクリーンが当該所定のグラフィカルインターフェースを表示する際、当該所定のグラフィカルインターフェースに対し設定した無効タッチエリアでタッチポイントが現れた場合、当該所定のグラフィカルインターフェースに対応する機能はトリガーされない。ここで指摘しなければいけないのは、前記所定のグラフィカルインターフェースは全タッチスクリーン画面でもよく、全タッチスクリーンにおける当該所定画像だけ表示される領域であってもよい。
【００３０】
上記の方法において、タッチスクリーンにおける所定画像が表示される領域に対し、無効タッチエリアを予め設定することは、具体的には、タッチスクリーンにおける所定画像が表示される領域に対し、前記タッチスクリーンの周縁から設定幅である領域を、無効タッチエリアとして予め設定することを含むことが望ましい。
【００３１】
具体的には、タッチスクリーン上の前記所定画像の表示に使われる領域がタッチスクリーンの周縁に及んだ場合、携帯電話のベゼル部分が比較的に薄い状況では、ユーザが携帯電話のベゼル部分を握った時に、タッチスクリーンの周縁領域に誤って触れ、誤操作機能をトリガーする現象を起こしてしまう。このような現象が起きるのを防ぐために、本発明の実施例は実際のニーズに基づいて、タッチスクリーンに前記所定画像が表示される際、誤って触れてしまうことで対応する機能を誤ってトリガーするタッチスクリーンの周縁領域を特定し、当該周縁領域を無効タッチエリアとして設定することができる。具体的な実施において、所定幅を設定し、タッチスクリーンの周縁から当該設定幅内の領域を当該無効タッチエリアとして正確に位置づけし、更に実際のニーズに基づいて、タッチスクリーンの四つの周縁の付近全てに無効タッチエリアを有するように設定するか、又はタッチスクリーンの隣接若しくは対向する二つの周縁の付近に無効タッチエリアを有するように設計することもできる。
【００３２】
具体的な実施において、ユーザは画面に入力する方法で設定幅値を入力することができ、それから、バックグラウンドソフト（Ｂａｃｋｇｒｏｕｎｄ  ｓｏｆｔｗａｒｅ）はタッチスクリーン周縁から当該設定幅値である領域を無効タッチエリアとして設定するか、又は、ユーザが矩形アイコンをドラッグする方法でタッチスクリーン周縁から設定幅値である領域を無効タッチエリアとして設定する。
【００３３】
上記の方法において、タッチスクリーンにおける所定画像が表示される領域に対し、無効タッチエリアを予め設定することは、具体的には、タッチスクリーンにおける所定画像が表示される領域に対し、設定された位置において設定の長さと幅を有する領域を無効タッチエリアとして設定することを含むことが望ましい。
【００３４】
具体的には、タッチスクリーンに前記所定画像が表示される場合、よくある誤操作タッチエリアに基づいて、タッチスクリーンにおける当該所定画像が表示される領域における、設定された位置に位置する設定の長さと幅を有する領域を無効タッチエリアとして設定することもできる。上述したタッチスクリーンの周縁から設定幅である領域を無効タッチエリアとして設定する方法に比べ、当該方法は必要な無効タッチエリアを更に正確に位置決めることができる。
【００３５】
具体的な実施において、ユーザは画面に入力する方法で設定された座標、設定された長さ及び設定された幅値を入力することができ、更に、バックグラウンドソフトは前記入力値に基づいて、タッチスクリーンにおける対応する領域を無効タッチエリアとして設定するか、又は、ユーザが矩形アイコンをドラッグする方法でタッチスクリーンにおけるある領域を無効タッチエリアとして設定することができる。
【００３６】
タッチスクリーンにおける所定画像が表示される領域に対し、無効タッチエリアを予め設定する場合、上記ステップ２１において、タッチポイントが、予め設定された無効タッチエリアに位置しているか否かを特定することは、具体的には、タッチスクリーンが前記所定画像を表示する際、タッチポイントがタッチスクリーンにおける前記所定画像が表示される領域に対し予め設定した無効タッチエリア内に位置しているか否かを特定することを含むことが望ましい。
【００３７】
具体的には、所定画像に対し対応する無効タッチエリアが設定された後、異なる所定画像は異なる無効タッチエリアを有する可能性が高く、従って、上記ステップ２１においてタッチポイントが予め設定された無効タッチエリアに位置しているか否かを検出する際、タッチスクリーンに表示された異なる所定画像に対しても、タッチポイントが対応する無効タッチエリアに位置しているか否かを検出すべきである。
【００３８】
上記ステップ２１において、タッチポイントが、予め設定された無効タッチエリアに位置しているか否かを特定することは、具体的には、タッチスクリーンに前記所定画像が表示される際、タッチポイントがタッチスクリーンにおける前記所定画像が表示される領域に対し予め設定した無効タッチエリアに位置しているか否かを特定することを含む。この場合、上記ステップ２２において、タッチポイントが前記無効タッチエリアに位置していることが特定される場合、当該タッチポイントに応答しないことは、具体的には、タッチスクリーンに前記所定画像が表示される際、タッチポイントが、タッチスクリーンにおける前記所定画像が表示される領域に対し予め設定した無効タッチエリア内に位置していると特定された場合、当該無効タッチエリアに対応する機能をトリガーしないように制御する。
【００３９】
具体的には、前記所定画像と、当該所定画像に対し設定した無効タッチエリアを関連付けることができ、タッチスクリーンに表示された画面が当該所定画像であることが特定されれば、関連する無効タッチエリアを直ちに特定し、前記関連する無効タッチエリアにタッチポイントが現れたことが特定された場合、対応する機能をトリガーしないように制御し、即ちタッチ操作に応答しない。
【００４０】
実施例２
本実施例はタッチスクリーンを提供しており、当該タッチスクリーンは実施例１が提供するタッチスクリーン誤操作防止方法を採用しており、図３に示すように当該タッチスクリーンは、
タッチスクリーン上の表示領域にタッチポイントが存在することが検出された場合、当該タッチポイントが、予め設定された無効タッチエリアに位置しているか否かを特定する無効特定モジュール３１と、
前記タッチポイントが前記無効タッチエリア内に位置している場合、当該タッチポイントに応答しないように制御する無効処理モジュール３２とを備える。
【００４１】
前記タッチスクリーンは、タッチスクリーン上の表示領域内に無効タッチエリアを予め設定するための無効設定モジュール３０を更に備えることが望ましい。
【００４２】
具体的に、前記無効設定モジュール３０はタッチスクリーンにおける所定画像が表示される領域に対し、無効タッチエリアを予め設定することが望ましい。
【００４３】
更に、前記無効設定モジュール３０は、タッチスクリーンにおける所定画像が表示される領域に対し、前記タッチスクリーンの周縁から設定幅である領域を、無効タッチエリアとして予め設定することが望ましい。
【００４４】
更に、前記無効設定モジュール３０は、タッチスクリーンにおける所定画像が表示される領域に対し、設定された位置における設定の長さと幅を有する領域を無効タッチエリアとして設定することが望ましい。
【００４５】
具体的に、前記無効特定モジュール３１は、タッチスクリーンに前記所定画像が表示される場合、タッチスクリーンにおける前記所定画像が表示される領域に対し予め設定した無効タッチエリアにタッチポイントが位置しているか否かを特定することが望ましい。
【００４６】
具体的に、前記無効処理モジュール３２は、タッチスクリーンに前記所定画像が表示される場合、タッチスクリーンにおける前記所定画像が表示される領域に対し予め設定した無効タッチエリアにタッチポイントが位置していることが特定された場合、当該無効タッチエリアに対応する機能をトリガーしないように制御することが望ましい。
【００４７】
前記タッチスクリーンにおけるそれぞれのモジュールが具体的に実現する機能は、実施例１におけるタッチスクリーンのタッチ防止の方法の具体的な実現過程を参照できる。ここでは繰り返し説明しない。
【００４８】
実施例３
本実施例は移動端末を提供し、図４に示すように、当該移動端末は上記の実施例に記述のタッチスクリーンを備える。
【００４９】
前記移動端末のタッチスクリーンの具体的な構造及び実現する機能は実施例２におけるタッチスクリーンの具体的な構造及び実現過程を参照できる。ここでは繰り返し説明しない。
【００５０】
具体的には、前記移動端末は例えば携帯電話、ノートパソコン、タブレットＰＣ、車載ＰＣ等の、タッチスクリーンを備える任意の移動可能な電子設備であってもよい。
【００５１】
本発明の実施例における前記移動端末は携帯電話であることが望ましい。
【００５２】
具体的には、上記のタッチスクリーンの誤操作防止方法を採用するタッチスクリーンを備える場合に、携帯電話は色々な状況において発生するスクリーンの誤操作の問題を避けることができる。特に、背景技術において説明したように、携帯電話がますます薄くなるに連れて出やすくなった、ユーザが携帯電話のベゼル部分を握っている場合、タッチスクリーンの周縁領域に誤って触れてしまい、対応する機能をトリガーする問題を避けることができる。
【００５３】
実施例４
本実施例は本発明が提供するタッチスクリーンの誤操作防止方法、タッチスクリーン及び移動端末の具体的な実施方法について詳細な説明を行い、当該実施例は携帯電話の通話記録画面に対し無効タッチエリアを設定する過程である。
【００５４】
ステップＡにおいて、携帯電話のタッチスクリーンに通話記録画面が表示される際、無効設定モジュールがトリガーされ、タッチスクリーンは設定メニューを表示し、当該設定メニューに無効タッチエリアのプロパティ値を設定する。具体的には、タッチスクリーンの周縁から幅値が２０画素の領域を無効タッチエリアとして設定し、タッチスクリーンの四つの周縁（上、下、左、右）のうちの、左右二つの周縁だけに対し無効タッチエリアを設定する。
【００５５】
図５に示すように、図面の点線の領域は即ち本ステップが通話記録画面に対し設定した無効タッチエリアであり、当該領域はタッチスクリーンの左右側に分布し、タッチスクリーンの周縁から２０画素の領域である。
【００５６】
本実施例において、任意一つのグラフィカルインターフェースにおいて無効設定モジュールをトリガーする際、デフォルトの設定された無効タッチエリアは、当該グラフィカルインターフェースに対し設定したもので、また、ユーザはシステムのメイン機能設定メニューで異なる機能に対応するグラフィカルインターフェースに対し無効設定モジュールをトリガーし、対応する無効タッチエリアを設定することも可能である。
【００５７】
ステップＢにおいて、無効特定モジュールをトリガーし、携帯電話が通話記録画面を表示していることが特定された場合、前記ステップＡにおいて設定された無効タッチエリアにタッチポイントが位置しているか否かを特定し、位置している場合はステップＣを実行する。
【００５８】
ステップＣにおいて、無効処理モジュールをトリガーし、当該無効タッチエリアに位置しているタッチポイントがタッチ操作に応答しないように制御し、即ち対応する通話機能をトリガーしない。
【００５９】
本実施例において、無効処理モジュールはステップＡにおいて特定された無効タッチエリアと通話記録画面を関連付け、更にタッチスクリーンに当該通話記録画面が表示される場合、当該無効タッチエリアに現れたタッチポイントがタッチ操作に応答しないように設定し、即ち対応する通話機能をトリガーしない。従って、無効特定モジュールが検出結果に基づいて無効処理モジュールをトリガーする場合、ユーザが使用する携帯電話は対応するタッチ防止機能を有する。例えば、携帯電話のベゼル部分が比較的に薄い状況で、ユーザが携帯電話のベゼル部分を握っている場合、タッチスクリーン周縁の通話記録画面に触れやすくなるものの、通話機能をトリガーせず、誤タッチの問題を避ける。
【００６０】
これに対応して、本実施例において、例えば携帯電話のメッセージ画面、連絡先画面等のその他グラフィカルインターフェースに対して無効タッチエリアを設定することも可能である。
【００６１】
また、本実施のステップＡにおいて、無効設定モジュールをトリガーした後、更にもう一つの設定メニューを表示することも可能である。具体的には、無効タッチエリアの場所を表す座標を設定（無効タッチエリアの左下座標としてデフォルト）し、無効タッチエリアの長さと幅値を設定する。
【００６２】
又は、本実施のステップＡにおいて、無効設定モジュールをトリガーした後、矩形アイコンをドラッグする方法で具体的な無効タッチエリアを特定することもできる。
当業者は本発明の精神と範囲を逸脱しない前提で各種の修正と変更を行うことができることは明らかである。このように、本発明のこれらの修正と変更が本発明の特許請求の範囲及び均等技術の範囲に属する場合、本発明はこれらの修正と変形を含むことも意図する。
【図１】
2015519671.tif 000003
【図２】
2015519671.tif 000004
【図３】
2015519671.tif 000005
【図４】
2015519671.tif 000006
【図５】
2015519671.tif 000007
【手続補正書】
【提出日】平成26年12月16日(2014.12.16)
【手続補正１】
【補正対象書類名】明細書
【補正対象項目名】全文
【補正方法】変更
【補正の内容】
【発明の詳細な説明】
【技術分野】
【０００１】
本発明はタッチスクリーンの技術分野に関わり、特に誤操作防止方法、タッチスクリーン、移動端末、プログラム及び記録媒体に関わる。
【背景技術】
【０００２】
科学技術の発展に伴い、携帯電話の集積化のレベルはますます高くなっており、同時に携帯電話はタッチスクリーンがますます大きくなり、ベゼル部分がますます薄くなるという発展傾向がある。しかしながら、携帯電話のベゼル部分が比較的に薄い場合、ユーザが携帯電話を握り締める際に携帯電話の周縁部分に触れやすく、誤操作を招いてしまう。
【０００３】
例えば、図１は携帯電話の通話記録画面を示しているが、当該画面のそれぞれのリスト項目は全てタッチスクリーンの当該リスト項目を表すための領域と対応し、通常の場合、ユーザがあるリスト項目に対応する表示領域をタッチした場合、対応する電話をかける機能がトリガーされる。つまり、当該リスト項目の表示領域にタッチすることによって、対応する機能をトリガーさせることができる。しかしながら、リスト項目の表示領域はタッチスクリーンの周縁にまで広がっていることが往々にしてあるため、ユーザが電話をかけるつもりがないまま携帯電話のベゼル部分を手で持っている場合、ベゼル部分が薄いゆえに、タッチスクリーンの周縁領域に誤接触しやすく、対応する電話を誤ってかけてしまう。同様に、メッセージ画面、アプリケーションプログラム画面等にも類似する問題が存在する。
【０００４】
従来技術では、携帯電話のスクリーンをロックする方法をよく採用して上記の誤操作状況の発生を防いでいるが、これはユーザがタイムリーにロックを行うことが必要となり、また、ユーザが再び携帯電話の画面操作を行う際にはロックを解除しなければならず、ユーザの操作の複雑さが増し、更に、ユーザがロックすることを忘れてしまうと、上記の誤操作の問題は依然として存在する。
【発明の概要】
【０００５】
本発明は、タッチスクリーンのタッチ応答の正確性と有効性を高め、スクリーンに誤って触れることで対応する機能を誤って実行する問題を避けるために、タッチスクリーンの誤操作防止方法、タッチスクリーン、移動端末、プログラム及び記録媒体を提供する。
【０００６】
タッチスクリーンの誤操作防止方法は、
タッチスクリーン上の表示領域にタッチポイントが存在することが検出された場合、当該タッチポイントが、予め設定された無効タッチエリアに位置しているか否かを特定するステップと、
当該タッチポイントが前記無効タッチエリアに位置していることが特定された場合、当該タッチポイントに応答しないステップとを含む。
【０００７】
また、タッチスクリーンは、
タッチスクリーン上の表示領域にタッチポイントが存在することが検出された場合、当該タッチポイントが、予め設定された無効タッチエリアに位置しているか否かを特定する無効特定モジュールと、
前記タッチポイントが前記無効タッチエリアに位置している場合、当該タッチポイントに応答しないように制御する無効処理モジュールとを備える。
【０００８】
また、移動端末は上記のようなタッチスクリーンを備えている。
【０００９】
また、プログラムは記録媒体に記録され、プロセッサに実行されることにより、前記タッチスクリーンの誤操作防止方法を実現する。
【００１０】
また、記録媒体はプログラムを記録する。
【００１１】
本発明はタッチスクリーンの誤操作防止方法、タッチスクリーン及び移動端末を提供し、タッチポイントが、無効タッチエリアに位置していることが特定された場合、当該タッチポイントに応答しないという方法で、ユーザが当該無効タッチエリアに触れた場合、対応する機能を誤ってトリガーするという問題を避けることができ、タッチスクリーンのタッチ効果の精度と有効性を高めた。
【図面の簡単な説明】
【００１２】
本発明の実施例における技術方案を更に明確に説明するために、以下では本発明の実施例の説明に必要な図面について簡単に紹介する。下記の説明における図面は本発明の実施例の例示に過ぎず、当業者は創造的な労働を経ずに、これらの図面に基づいて更にその他の図面を得ることは自明なことである。
【００１３】
図１は従来技術において一般的に使われる携帯電話の通話記録画面である。
【００１４】
図２は本発明の実施例１が提供するタッチスクリーン誤操作防止方法のフロー模式図である。
【００１５】
図３は本発明の実施例２が提供するタッチスクリーンの構造模式図である。
【００１６】
図４は本発明の実施例３が提供する移動端末の模式図である。
【００１７】
図５は本発明の実施例４における、通話記録画面に対し設定した無効タッチエリアの模式図である。
【発明を実施するための形態】
【００１８】
下記では図面と具体的な実施例を組み合わせて、本発明が提供するタッチスクリーン誤操作防止方法、タッチスクリーン及び移動端末の具体的な実施方法について更に詳しく説明する。
【００１９】
実施例１
本実施例はタッチスクリーンの誤操作防止方法を提供しており、図２に示すように以下のようなステップを含む。
【００２０】
ステップ２１において、タッチスクリーン上の表示領域にタッチポイントが存在することが検出された場合、前記タッチポイントが、予め設定された無効タッチエリアに位置しているか否かを特定する。
【００２１】
具体的には、タッチスクリーンは、表示画像を有しタッチ信号を受信することで対応する機能をトリガーするスクリーンであり、本ステップはタッチスクリーン上にタッチポイントが存在することが検出された場合、更に前記タッチポイントが無効タッチエリアに位置しているか否かを検出する。当該無効タッチエリアはタッチスクリーンを誤操作する場合によく触れてしまうエリアである。
【００２２】
ステップ２２において、当該タッチポイントが前記無効タッチエリアに位置していることが特定される場合、当該タッチポイントに応答しない。
【００２３】
具体的には、本ステップにおいて前記無効タッチエリアがタッチ操作に応答しないように設定する。即ち、タッチポイントが無効タッチエリアに位置していることが特定された場合、当該タッチが誤操作によるタッチであると判断し、当該無効タッチエリアに対応する機能をトリガーしない。
【００２４】
本実施例で提供するタッチスクリーンの誤操作防止方法は、タッチポイントが無効タッチエリアに位置していることが特定された場合、当該タッチポイントに応答しないという方法で、ユーザが当該無効タッチエリアに触れた場合、対応する機能を誤ってトリガーする問題を避けることができ、タッチスクリーンのタッチ効果の精度と有効性を高めた。
【００２５】
前記無効タッチエリアはタッチスクリーン上の表示領域内に予め設定されることが望ましい。
【００２６】
具体的には、ユーザは実際のニーズに基づいて、タッチスクリーンを正常に操作する場合によく触れる領域及びタッチスクリーンを誤って操作する場合によく触れる領域を予め特定し、タッチスクリーンを正常に操作する場合によく触れる領域を有効タッチエリアとして設定し、タッチスクリーンを誤って操作する場合によく触れる領域を無効タッチエリアとして設定する。
【００２７】
より具体的には、前記無効タッチエリアをタッチ操作に応答しないように、有効タッチエリアをタッチ操作に応答するように設定する。つまり、タッチポイントが無効タッチエリアに位置していることが特定された場合、当該タッチが誤操作によるタッチであると判断し、当該無効タッチエリアに対応する機能をトリガーせず、逆に、タッチポイントが有効タッチエリアに位置していることが特定された場合、当該タッチを正常な操作によるタッチであると判断し、当該有効タッチエリアに対応する機能をトリガーする。
【００２８】
また、本発明方法において、前記無効タッチエリアは、ユーザが実際のニーズに基づいて予め設定されたものでもよく、システムにより予めデフォルトに設定された、タッチスクリーンにおける所定領域であってもよい。即ち、システムは、予めデフォルトオプションとして所定の無効タッチエリアを設定し、ユーザはシステムがデフォルトとする無効タッチエリアを選択して使用するか、または実際のニーズに基づいて無効タッチエリアを設定することができる。
【００２９】
システムがデフォルトとする無効タッチエリアを採用しても、ユーザが実際のニーズに基づいて予め設定された無効タッチエリアを採用しても、どちらもユーザが当該無効タッチエリアに触れた場合、対応する機能が誤ってトリガーされる問題を避けることができ、タッチスクリーンのタッチ効果の精度と有効性を高めた。従来技術における、スクリーンをロックする方法に比べて、本発明の方法は操作が簡単で、一回の設定で誤操作を防止する機能を実現することができ、ユーザが便利に速く操作できるようにし、ユーザの体験度を高めた。
【００３０】
上記の方法において、前記無効タッチエリアをタッチスクリーン上の表示領域内に予め設定することは、具体的には、タッチスクリーン上の所定画像が表示される領域に対し、無効タッチエリアを予め設定することを含むことが望ましい。
【００３１】
具体的には、タッチスクリーンに表示される画像は対応する機能の変化に伴って変化し、あるグラフィカルインターフェース（Ｇｒａｐｈｉｃｓ  Ｉｎｔｅｒｆａｃｅ）に対し正常に操作する際によく触れる領域は、他のグラフィカルインターフェースに対し誤って操作した際に触れる領域である可能性がある。従って、本発明の実施例は実際のニーズに基づいて、所定のグラフィカルインターフェースに対し、対応する無効タッチエリアを設定することができる。即ち、タッチスクリーンが当該所定のグラフィカルインターフェースを表示する際、当該所定のグラフィカルインターフェースに対し設定した無効タッチエリアでタッチポイントが現れた場合、当該所定のグラフィカルインターフェースに対応する機能はトリガーされない。ここで指摘しなければいけないのは、前記所定のグラフィカルインターフェースは全タッチスクリーン画面でもよく、全タッチスクリーンにおける当該所定画像だけ表示される領域であってもよい。
【００３２】
上記の方法において、タッチスクリーンにおける所定画像が表示される領域に対し、無効タッチエリアを予め設定することは、具体的には、タッチスクリーンにおける所定画像が表示される領域に対し、前記タッチスクリーンの周縁から設定幅である領域を、無効タッチエリアとして予め設定することを含むことが望ましい。
【００３３】
具体的には、タッチスクリーン上の前記所定画像の表示に使われる領域がタッチスクリーンの周縁に及んだ場合、携帯電話のベゼル部分が比較的に薄い状況では、ユーザが携帯電話のベゼル部分を握った時に、タッチスクリーンの周縁領域に誤って触れ、誤操作機能をトリガーする現象を起こしてしまう。このような現象が起きるのを防ぐために、本発明の実施例は実際のニーズに基づいて、タッチスクリーンに前記所定画像が表示される際、誤って触れてしまうことで対応する機能を誤ってトリガーするタッチスクリーンの周縁領域を特定し、当該周縁領域を無効タッチエリアとして設定することができる。具体的な実施において、所定幅を設定し、タッチスクリーンの周縁から当該設定幅内の領域を当該無効タッチエリアとして正確に位置づけし、更に実際のニーズに基づいて、タッチスクリーンの四つの周縁の付近全てに無効タッチエリアを有するように設定するか、又はタッチスクリーンの隣接若しくは対向する二つの周縁の付近に無効タッチエリアを有するように設計することもできる。
【００３４】
具体的な実施において、ユーザは画面に入力する方法で設定幅値を入力することができ、それから、バックグラウンドソフト（Ｂａｃｋｇｒｏｕｎｄ  ｓｏｆｔｗａｒｅ）はタッチスクリーン周縁から当該設定幅値である領域を無効タッチエリアとして設定するか、又は、ユーザが矩形アイコンをドラッグする方法でタッチスクリーン周縁から設定幅値である領域を無効タッチエリアとして設定する。
【００３５】
上記の方法において、タッチスクリーンにおける所定画像が表示される領域に対し、無効タッチエリアを予め設定することは、具体的には、タッチスクリーンにおける所定画像が表示される領域に対し、設定された位置において設定の長さと幅を有する領域を無効タッチエリアとして設定することを含むことが望ましい。
【００３６】
具体的には、タッチスクリーンに前記所定画像が表示される場合、よくある誤操作タッチエリアに基づいて、タッチスクリーンにおける当該所定画像が表示される領域における、設定された位置に位置する設定の長さと幅を有する領域を無効タッチエリアとして設定することもできる。上述したタッチスクリーンの周縁から設定幅である領域を無効タッチエリアとして設定する方法に比べ、当該方法は必要な無効タッチエリアを更に正確に位置決めることができる。
【００３７】
具体的な実施において、ユーザは画面に入力する方法で設定された座標、設定された長さ及び設定された幅値を入力することができ、更に、バックグラウンドソフトは前記入力値に基づいて、タッチスクリーンにおける対応する領域を無効タッチエリアとして設定するか、又は、ユーザが矩形アイコンをドラッグする方法でタッチスクリーンにおけるある領域を無効タッチエリアとして設定することができる。
【００３８】
タッチスクリーンにおける所定画像が表示される領域に対し、無効タッチエリアを予め設定する場合、上記ステップ２１において、タッチポイントが、予め設定された無効タッチエリアに位置しているか否かを特定することは、具体的には、タッチスクリーンが前記所定画像を表示する際、タッチポイントがタッチスクリーンにおける前記所定画像が表示される領域に対し予め設定した無効タッチエリア内に位置しているか否かを特定することを含むことが望ましい。
【００３９】
具体的には、所定画像に対し対応する無効タッチエリアが設定された後、異なる所定画像は異なる無効タッチエリアを有する可能性が高く、従って、上記ステップ２１においてタッチポイントが予め設定された無効タッチエリアに位置しているか否かを検出する際、タッチスクリーンに表示された異なる所定画像に対しても、タッチポイントが対応する無効タッチエリアに位置しているか否かを検出すべきである。
【００４０】
上記ステップ２１において、タッチポイントが、予め設定された無効タッチエリアに位置しているか否かを特定することは、具体的には、タッチスクリーンに前記所定画像が表示される際、タッチポイントがタッチスクリーンにおける前記所定画像が表示される領域に対し予め設定した無効タッチエリアに位置しているか否かを特定することを含む。この場合、上記ステップ２２において、タッチポイントが前記無効タッチエリアに位置していることが特定される場合、当該タッチポイントに応答しないことは、具体的には、タッチスクリーンに前記所定画像が表示される際、タッチポイントが、タッチスクリーンにおける前記所定画像が表示される領域に対し予め設定した無効タッチエリア内に位置していると特定された場合、当該無効タッチエリアに対応する機能をトリガーしないように制御する。
【００４１】
具体的には、前記所定画像と、当該所定画像に対し設定した無効タッチエリアを関連付けることができ、タッチスクリーンに表示された画面が当該所定画像であることが特定されれば、関連する無効タッチエリアを直ちに特定し、前記関連する無効タッチエリアにタッチポイントが現れたことが特定された場合、対応する機能をトリガーしないように制御し、即ちタッチ操作に応答しない。
【００４２】
実施例２
本実施例はタッチスクリーンを提供しており、当該タッチスクリーンは実施例１が提供するタッチスクリーン誤操作防止方法を採用しており、図３に示すように当該タッチスクリーンは、
タッチスクリーン上の表示領域にタッチポイントが存在することが検出された場合、当該タッチポイントが、予め設定された無効タッチエリアに位置しているか否かを特定する無効特定モジュール３１と、
前記タッチポイントが前記無効タッチエリア内に位置している場合、当該タッチポイントに応答しないように制御する無効処理モジュール３２とを備える。
【００４３】
前記タッチスクリーンは、タッチスクリーン上の表示領域内に無効タッチエリアを予め設定するための無効設定モジュール３０を更に備えることが望ましい。
【００４４】
具体的に、前記無効設定モジュール３０はタッチスクリーンにおける所定画像が表示される領域に対し、無効タッチエリアを予め設定することが望ましい。
【００４５】
更に、前記無効設定モジュール３０は、タッチスクリーンにおける所定画像が表示される領域に対し、前記タッチスクリーンの周縁から設定幅である領域を、無効タッチエリアとして予め設定することが望ましい。
【００４６】
更に、前記無効設定モジュール３０は、タッチスクリーンにおける所定画像が表示される領域に対し、設定された位置における設定の長さと幅を有する領域を無効タッチエリアとして設定することが望ましい。
【００４７】
具体的に、前記無効特定モジュール３１は、タッチスクリーンに前記所定画像が表示される場合、タッチスクリーンにおける前記所定画像が表示される領域に対し予め設定した無効タッチエリアにタッチポイントが位置しているか否かを特定することが望ましい。
【００４８】
具体的に、前記無効処理モジュール３２は、タッチスクリーンに前記所定画像が表示される場合、タッチスクリーンにおける前記所定画像が表示される領域に対し予め設定した無効タッチエリアにタッチポイントが位置していることが特定された場合、当該無効タッチエリアに対応する機能をトリガーしないように制御することが望ましい。
【００４９】
前記タッチスクリーンにおけるそれぞれのモジュールが具体的に実現する機能は、実施例１におけるタッチスクリーンのタッチ防止の方法の具体的な実現過程を参照できる。ここでは繰り返し説明しない。
【００５０】
実施例３
本実施例は移動端末を提供し、図４に示すように、当該移動端末は上記の実施例に記述のタッチスクリーンを備える。
【００５１】
前記移動端末のタッチスクリーンの具体的な構造及び実現する機能は実施例２におけるタッチスクリーンの具体的な構造及び実現過程を参照できる。ここでは繰り返し説明しない。
【００５２】
具体的には、前記移動端末は例えば携帯電話、ノートパソコン、タブレットＰＣ、車載ＰＣ等の、タッチスクリーンを備える任意の移動可能な電子設備であってもよい。
【００５３】
本発明の実施例における前記移動端末は携帯電話であることが望ましい。
【００５４】
具体的には、上記のタッチスクリーンの誤操作防止方法を採用するタッチスクリーンを備える場合に、携帯電話は色々な状況において発生するスクリーンの誤操作の問題を避けることができる。特に、背景技術において説明したように、携帯電話がますます薄くなるに連れて出やすくなった、ユーザが携帯電話のベゼル部分を握っている場合、タッチスクリーンの周縁領域に誤って触れてしまい、対応する機能をトリガーする問題を避けることができる。
【００５５】
実施例４
本実施例は本発明が提供するタッチスクリーンの誤操作防止方法、タッチスクリーン及び移動端末の具体的な実施方法について詳細な説明を行い、当該実施例は携帯電話の通話記録画面に対し無効タッチエリアを設定する過程である。
【００５６】
ステップＡにおいて、携帯電話のタッチスクリーンに通話記録画面が表示される際、無効設定モジュールがトリガーされ、タッチスクリーンは設定メニューを表示し、当該設定メニューに無効タッチエリアのプロパティ値を設定する。具体的には、タッチスクリーンの周縁から幅値が２０画素の領域を無効タッチエリアとして設定し、タッチスクリーンの四つの周縁（上、下、左、右）のうちの、左右二つの周縁だけに対し無効タッチエリアを設定する。
【００５７】
図５に示すように、図面の点線の領域は即ち本ステップが通話記録画面に対し設定した無効タッチエリアであり、当該領域はタッチスクリーンの左右側に分布し、タッチスクリーンの周縁から２０画素の領域である。
【００５８】
本実施例において、任意一つのグラフィカルインターフェースにおいて無効設定モジュールをトリガーする際、デフォルトの設定された無効タッチエリアは、当該グラフィカルインターフェースに対し設定したもので、また、ユーザはシステムのメイン機能設定メニューで異なる機能に対応するグラフィカルインターフェースに対し無効設定モジュールをトリガーし、対応する無効タッチエリアを設定することも可能である。
【００５９】
ステップＢにおいて、無効特定モジュールをトリガーし、携帯電話が通話記録画面を表示していることが特定された場合、前記ステップＡにおいて設定された無効タッチエリアにタッチポイントが位置しているか否かを特定し、位置している場合はステップＣを実行する。
【００６０】
ステップＣにおいて、無効処理モジュールをトリガーし、当該無効タッチエリアに位置しているタッチポイントがタッチ操作に応答しないように制御し、即ち対応する通話機能をトリガーしない。
【００６１】
本実施例において、無効処理モジュールはステップＡにおいて特定された無効タッチエリアと通話記録画面を関連付け、更にタッチスクリーンに当該通話記録画面が表示される場合、当該無効タッチエリアに現れたタッチポイントがタッチ操作に応答しないように設定し、即ち対応する通話機能をトリガーしない。従って、無効特定モジュールが検出結果に基づいて無効処理モジュールをトリガーする場合、ユーザが使用する携帯電話は対応するタッチ防止機能を有する。例えば、携帯電話のベゼル部分が比較的に薄い状況で、ユーザが携帯電話のベゼル部分を握っている場合、タッチスクリーン周縁の通話記録画面に触れやすくなるものの、通話機能をトリガーせず、誤タッチの問題を避ける。
【００６２】
これに対応して、本実施例において、例えば携帯電話のメッセージ画面、連絡先画面等のその他グラフィカルインターフェースに対して無効タッチエリアを設定することも可能である。
【００６３】
また、本実施のステップＡにおいて、無効設定モジュールをトリガーした後、更にもう一つの設定メニューを表示することも可能である。具体的には、無効タッチエリアの場所を表す座標を設定（無効タッチエリアの左下座標としてデフォルト）し、無効タッチエリアの長さと幅値を設定する。
【００６４】
又は、本実施のステップＡにおいて、無効設定モジュールをトリガーした後、矩形アイコンをドラッグする方法で具体的な無効タッチエリアを特定することもできる。
当業者は本発明の精神と範囲を逸脱しない前提で各種の修正と変更を行うことができることは明らかである。このように、本発明のこれらの修正と変更が本発明の特許請求の範囲及び均等技術の範囲に属する場合、本発明はこれらの修正と変形を含むことも意図する。
【手続補正２】
【補正対象書類名】特許請求の範囲
【補正対象項目名】全文
【補正方法】変更
【補正の内容】
【特許請求の範囲】
【請求項１】
タッチスクリーン上の表示領域にタッチポイントが存在することが検出された場合、当該タッチポイントが、予め設定された無効タッチエリアに位置しているか否かを特定するステップと、
当該タッチポイントが前記無効タッチエリアに位置していることが特定された場合、当該タッチポイントに応答しないステップとを含むことを特徴とするタッチスクリーンの誤操作防止方法。
【請求項２】
前記無効タッチエリアをタッチスクリーン上の表示領域内に予め設定することを特徴とする請求項１に記載のタッチスクリーンの誤操作防止方法。
【請求項３】
前記無効タッチエリアをタッチスクリーン上の表示領域内に予め設定するステップは、
タッチスクリーンにおける所定画像が表示された領域に対し、無効タッチエリアを予め設定するステップを含むことを特徴とする請求項２に記載のタッチスクリーンの誤操作防止方法。
【請求項４】
タッチスクリーンにおける所定画像が表示された領域に対し、無効タッチエリアを予め設定するステップは、
タッチスクリーンにおける所定画像が表示された領域に対し、前記タッチスクリーンの周縁から設定幅である領域を無効タッチエリアとして予め設定するステップを含むことを特徴とする請求項３に記載のタッチスクリーンの誤操作防止方法。
【請求項５】
タッチスクリーンにおける所定画像が表示された領域に対し、無効タッチエリアを予め設定するステップは、
タッチスクリーンにおける所定画像が表示された領域に対し、設定された位置において設定の長さと幅を有する領域を無効タッチエリアとして予め設定するステップを含むことを特徴とする請求項３に記載のタッチスクリーンの誤操作防止方法。
【請求項６】
タッチポイントが、予め設定された無効タッチエリアに位置しているか否かを特定するステップは、
タッチスクリーンに前記所定画像が表示される場合、タッチスクリーンにおける前記所定画像が表示された領域に対し、予め設定された無効タッチエリアにタッチポイントが位置しているか否かを特定するステップを含むことを特徴とする請求項３乃至請求項５のいずれかに記載のタッチスクリーンの誤操作防止方法。
【請求項７】
タッチポイントが前記無効タッチエリアに位置していることが特定された場合、当該タッチポイントに応答しないステップは、
タッチスクリーンに前記所定画像が表示される場合、タッチポイントが、タッチスクリーンにおける前記所定画像が表示された領域に対し予め設定した無効タッチエリアに位置していることが特定された場合、当該無効タッチエリアに対応する機能をトリガーしないように制御するステップを含むことを特徴とする請求項６に記載のタッチスクリーンの誤操作防止方法。
【請求項８】
タッチスクリーン上の表示領域にタッチポイントが存在することが検出された場合、当該タッチポイントが、予め設定された無効タッチエリアに位置しているか否かを特定する無効特定モジュールと、
前記タッチポイントが前記無効タッチエリアに位置している場合、当該タッチポイントに応答しないように制御する無効処理モジュールとを備えることを特徴とするタッチスクリーン。
【請求項９】
更に、タッチスクリーン上の表示領域内に無効タッチエリアを予め設定する無効設定モジュールを備えることを特徴とする請求項８に記載のタッチスクリーン。
【請求項１０】
前記無効設定モジュールは、タッチスクリーンにおける所定画像が表示される領域に対し、無効タッチエリアを予め設定することを特徴とする請求項９に記載のタッチスクリーン。
【請求項１１】
前記無効設定モジュールは更に、タッチスクリーンにおける所定画像が表示される領域に対し、前記タッチスクリーンの周縁から設定幅である領域を、無効タッチエリアとして予め設定することを特徴とする請求項１０に記載のタッチスクリーン。
【請求項１２】
前記無効設定モジュールは更に、タッチスクリーンにおける所定画像が表示される領域に対し、設定された位置における設定の長さと幅を有する領域を無効タッチエリアとして予め設定することを特徴とする請求項１０に記載のタッチスクリーン。
【請求項１３】
前記無効特定モジュールは、タッチスクリーンに前記所定画像が表示される場合、タッチスクリーンにおける前記所定画像が表示される領域に対し予め設定した無効タッチエリアにタッチポイントが位置しているか否かを特定することを特徴とする請求項１０乃至請求項１２のいずれかに記載のタッチスクリーン。
【請求項１４】
前記無効処理モジュールは、タッチスクリーンに前記所定画像が表示される場合、タッチスクリーンにおける前記所定画像が表示される領域に対し予め設定した無効タッチエリアにタッチポイントが位置していることが特定された場合、当該無効タッチエリアに対応する機能をトリガーしないように制御することを特徴とする請求項１３に記載のタッチスクリーン。
【請求項１５】
請求項８乃至請求項１４のいずれかに記載のタッチスクリーンを備えることを特徴とする移動端末。
【請求項１６】
プロセッサに実行されることにより、請求項１から請求項７のいずれかに記載のタッチスクリーンの誤操作防止方法を実現する記録媒体に記録されたプログラム。
【請求項１７】
請求項１６に記載のプログラムが記録された記録媒体。
【国際調査報告】
2015519671.tif 000008
2015519671.tif 000009
2015519671.tif 000010
2015519671.tif 000011
2015519671.tif 000012
2015519671.tif 000013